(57)【要約】      （修正有）【課題】ナビゲーションシステムにおいて、地図の形状情報を用いて交差点の回転案内情報をリアルタイムで生成する装置及び方法を提供する。【解決手段】経路設定部１１０は、指定された目的地までの経路の伝達を受けて案内情報生成の入力データとして設定する。候補領域検出部１２０は、探索された経路中で交差点での回転地点を検索し、回転地点の周辺を候補領域として検出する。候補ＰＯＩ領域検出部１３０は、候補領域内にある各ＰＯＩ領域を検出する。案内ＰＯＩ領域選択部１４０は、交差点案内情報を生成するのに用いる案内ＰＯＩ領域を選択する。案内情報生成部１５０は、案内ＰＯＩ領域のＰＯＩ情報を用いて案内情報を生成する。【選択図】図２
2014106229.tif 000002
【特許請求の範囲】
【請求項１】
指定された目的地までの経路の入力を受ける経路設定部と、
前記経路で回転が必要な地点である回転地点を検索し、検索された回転地点の周辺領域を候補領域として検出する候補領域検出部と、
前記候補領域に少なくとも一部が含まれるＰＯＩ領域を候補ＰＯＩ領域として検出する候補ＰＯＩ領域検出部と、
前記候補ＰＯＩ領域と前記回転地点間の距離を算出し、算出された距離が最も短い候補ＰＯＩ領域を検索し、検索された候補ＰＯＩ領域を案内ＰＯＩ領域として選択する案内ＰＯＩ領域選択部と、
前記案内ＰＯＩ領域を含む交差点に関する案内情報を生成する案内情報生成部と、
を含む交差点案内情報の生成装置。
【請求項２】
前記案内情報は、
現在地から交差点までの距離、交差点での回転方向情報のうちの少なくとも１つを更に含むことを特徴とする、請求項１に記載の交差点案内情報の生成装置。
【請求項３】
前記候補領域検出部は、
検索された回転地点及び検索された回転地点で予め設定された距離にある第１点及び第２点を設定し、
前記回転地点、前記第１点及び前記第２点を何れも通る任意の閉曲線の内部領域を候補領域として検出することを特徴とする、請求項１に記載の交差点案内情報の生成装置。
【請求項４】
前記回転方向情報は、前記回転地点での左折、右折、Ｕ型回転、Ｐ型回転、ロータリー回転のうちの少なくとも１つであることを特徴とする、請求項２に記載の交差点案内情報の生成装置。
【請求項５】
前記案内ＰＯＩ領域選択部は、
前記候補ＰＯＩ領域と前記回転地点間の距離を算出し、算出された距離が最も短い候補ＰＯＩ領域を案内ＰＯＩ領域として選択することを特徴とする、請求項１に記載の交差点案内情報の生成装置。
【請求項６】
前記案内ＰＯＩ領域選択部は、
クライアントの位置、クライアントの移動方向、最終目的地のうちの少なくとも１つを考慮して案内ＰＯＩ領域を選択することを特徴とする、請求項１に記載の交差点案内情報の生成装置。
【請求項７】
前記経路設定部は、
外部の装置から探索された経路の伝達を受けるか、内部で探索された経路の伝達を受けて案内情報生成の入力データとして設定することを特徴とする、請求項１に記載の交差点案内情報の生成装置。
【請求項８】
前記候補ＰＯＩ領域検出部が候補ＰＯＩ領域を検出できない場合、
前記候補領域検出部は、前記回転地点と予め決定された距離にある第３点及び第４点を設定し、
前記第３点及び前記第４点は、前記第１点と異なるか、前記第２点と異なり、
前記回転地点、前記第３点、及び前記第４点を何れも通る任意の閉曲線の内部領域を候補領域として検出することを特徴とする、請求項３に記載の交差点案内情報の生成装置。
【請求項９】
サーバが指定された目的地までの経路を探索する段階と、
前記サーバが前記経路で回転が必要な地点である回転地点を検索し、検索された回転地点周辺を候補領域として検出する段階と、
前記サーバが前記候補領域に少なくとも一部が含まれるＰＯＩ領域を候補ＰＯＩ領域として検出する段階と、
前記サーバが前記候補ＰＯＩ領域と前記回転地点間の距離を算出し、算出された距離が最も短い候補ＰＯＩ領域を検索し、検索された候補ＰＯＩ領域を案内ＰＯＩ領域として選択する段階と、
前記サーバが前記案内ＰＯＩ領域を含む交差点に関する案内情報を生成する段階と、
を含む交差点案内情報の生成方法。
【請求項１０】
前記案内情報は、
現在地から交差点までの距離、交差点での回転方向情報のうちの少なくとも１つを更に含むことを特徴とする、請求項９に記載の交差点案内情報の生成方法。
【請求項１１】
前記候補領域として検出する段階は、
検索された回転地点及び検索された回転地点で予め決定された距離にある第１点及び第２点を設定し、
前記回転地点、前記第１点及び前記第２点を通る任意の閉曲線の内部領域を候補領域として検出することを特徴とする、請求項９に記載の交差点案内情報の生成方法。
【請求項１２】
前記回転方向情報は、前記回転地点での左折、右折、Ｕ型回転、Ｐ型回転、ロータリー回転のうちの少なくとも１つであることを特徴とする、請求項１０に記載の交差点案内情報の生成方法。
【請求項１３】
前記案内ＰＯＩ領域として選択する段階は、
前記候補ＰＯＩ領域と前記回転地点間の距離を算出し、算出された距離が最も短い候補ＰＯＩ領域を案内ＰＯＩ領域として選択することを特徴とする、請求項９に記載の交差点案内情報の生成方法。
【請求項１４】
前記候補ＰＯＩ領域検出段階で候補ＰＯＩ領域を検出できない場合、候補領域検出段階に戻る候補ＰＯＩ領域検出如何判断段階を更に含み、
前記候補ＰＯＩ領域検出段階は、以前に検出された候補領域と異なる候補領域を検出することを特徴とする、請求項９に記載の交差点案内情報の生成方法。
【請求項１５】
前記案内ＰＯＩ領域として選択する段階は、
クライアントの位置、クライアントの移動方向、最終目的地のうちの少なくとも１つを考慮して案内ＰＯＩ領域を選択することを特徴とする、請求項９に記載の交差点案内情報の生成方法。
【発明の詳細な説明】
【技術分野】
【０００１】
本発明はナビゲーションシステムに関し、更に詳しくは、地図の形状情報を用いて交差点の回転案内情報を能動的に生成する装置及び方法に関する。
【背景技術】
【０００２】
これと関連する従来技術としては、関心地点情報を用いた交差点案内方法及びナビゲーションシステム（下記の特許文献１参照）が挙げられる。前記従来技術では、交差点の周辺ＰＯＩ（Ｐｏｉnt ｏｆ ｉｎｔｅｒｅｓｔ）情報を用いて回転案内情報を改善するために関心地点情報を用いる。
【０００３】
図１は、従来の交差点案内ナビゲーションシステムに関するものである。図１を参照すれば、従来のナビゲーションシステムは、経路算出部２０、格納部３０、ユーザインターフェース部４０、ディスプレイ部５０、音声出力部６０、制御部７０を含む。
【０００４】
格納部３０は、全国地図に対する地図データと前記地図データと関連する経路案内データを構築した地図データベースとを含む。このとき、交差点案内情報は、予め調べて入力された値を用いて生成される。
【０００５】
しかし、従来の交差点案内ナビゲーションシステムは、交差点案内情報を能動的に生成できず、予め格納された案内情報をそのまま提供するという問題があった。
【先行技術文献】
【特許文献】
【０００６】
【特許文献１】韓国公開特許第２００８-０１０４５４８号
【発明の概要】
【発明が解決しようとする課題】
【０００７】
本発明は上記事情に鑑みてなされたものであって、その目的は、経路探索サービス中に地図形状データ、例えばビル、商店などに対する領域情報を分析することによって、回転が必要な交差点に関する案内情報をリアルタイムで生成する装置及び方法を提供することにある。
【０００８】
また、本発明の他の目的は、予め格納された交差点案内情報を用いず、交差点案内情報を経路探索サービス中に生成し、従来技術に比べて、小容量のデータを格納して管理する交差点案内情報生成装置及び方法を提供することにある。
【０００９】
更に、本発明の別の目的は、経路探索サービス中に交差点案内情報を生成するため、交差点周辺の変更された環境情報に基づいて交差点案内情報を生成する装置及び方法を提供することにある。
【課題を解決するための手段】
【００１０】
本発明の一実施形態による交差点案内情報の生成装置は、指定された目的地までの移動経路の入力を受ける移動経路設定部と、前記移動経路で回転が必要な地点である回転地点を検索し、検索された回転地点の周辺領域を候補領域として検出する候補領域検出部と、前記候補領域に少なくとも一部が含まれるＰＯＩ領域を候補ＰＯＩ領域として検出する候補ＰＯＩ領域検出部と、前記候補ＰＯＩ領域と前記回転地点間の距離を算出し、算出された距離が最も短い候補ＰＯＩ領域を検索し、検索された候補ＰＯＩ領域を案内ＰＯＩ領域として選択する案内ＰＯＩ領域選択部と、前記案内ＰＯＩ領域を含む交差点に関する案内情報を生成する案内情報生成部とを含むことができる。
【００１１】
前記案内情報は、現在地から交差点までの距離、交差点での回転方向情報のうちの少なくとも１つを更に含むことを特徴とすることができる。
【００１２】
前記候補領域検出部は、検索された回転地点及び検索された回転地点で予め設定された距離にある第１点及び第２点を設定し、前記回転地点、前記第１点及び前記第２点を何れも通る任意の閉曲線の内部領域を候補領域として検出することを特徴とすることができる。
【００１３】
前記回転方向情報は、前記回転地点での左折、右折、Ｕ型回転、Ｐ型回転、ロータリー回転のうちの少なくとも１つであることを特徴とすることができる。
【００１４】
前記案内ＰＯＩ領域選択部は、前記候補ＰＯＩ領域と前記回転地点間の距離を算出し、算出された距離が最も短い候補ＰＯＩ領域を案内ＰＯＩ領域として選択することを特徴とすることができる。
【００１５】
前記移動経路設定部は、外部の装置から探索された移動経路の伝達を受けるか、内部で探索された移動経路の伝達を受けて案内情報生成の入力データとして設定することを特徴とすることができる。
【００１６】
前記候補ＰＯＩ領域検出部が候補ＰＯＩ領域を検出できない場合、前記候補領域検出部は、前記回転地点と予め決定された距離にある第３点及び第４点を設定し、前記第３点及び前記第４点は、前記第１点と異なるか、前記第２点と異なり、前記回転地点、前記第３点、及び前記第４点を何れも通る任意の閉曲線の内部領域を候補領域として検出することを特徴とすることができる。
【００１７】
前記案内ＰＯＩ領域選択部は、運転者の位置、運転者の移動方向、最終目的地のうちの少なくとも１つを考慮して案内ＰＯＩ領域を選択することを特徴とすることができる。
【００１８】
本発明の一実施形態による交差点案内情報の生成方法は、サーバが指定された目的地までの移動経路を探索する段階と、前記サーバが前記移動経路で回転が必要な地点である回転地点を検索し、検索された回転地点周辺を候補領域として検出する段階と、前記サーバが前記候補領域に少なくとも一部が含まれるＰＯＩ領域を候補ＰＯＩ領域として検出する段階と、前記サーバが前記候補ＰＯＩ領域と前記回転地点間の距離を算出し、算出された距離が最も短い候補ＰＯＩ領域を検索し、検索された候補ＰＯＩ領域を案内ＰＯＩ領域として選択する段階と、前記サーバが前記案内ＰＯＩ領域を含む交差点に関する案内情報を生成する段階とを含むことができる。
【００１９】
前記案内情報は、現在地から交差点までの距離、交差点での回転方向情報のうちの少なくとも１つを更に含むことを特徴とすることができる。
【００２０】
前記候補領域として検出する段階は、検索された回転地点及び検索された回転地点で予め決定された距離にある第１点及び第２点を設定し、前記回転地点、前記第１点及び前記第２点を通る任意の閉曲線の内部領域を候補領域として検出することを特徴とすることができる。
【００２１】
前記回転方向情報は、前記回転地点での左折、右折、Ｕ型回転、Ｐ型回転、ロータリー回転のうちの少なくとも１つであることを特徴とすることができる。
【００２２】
前記案内ＰＯＩ領域として選択する段階は、前記候補ＰＯＩ領域と前記回転地点間の距離を算出し、算出された距離が最も短い候補ＰＯＩ領域を案内ＰＯＩ領域として選択することを特徴とすることができる。
【００２３】
前記候補ＰＯＩ領域検出段階で候補ＰＯＩ領域を検出できない場合、候補領域検出段階に戻る候補ＰＯＩ領域検出如何判断段階を更に含み、前記候補ＰＯＩ領域検出段階は、以前に検出された候補領域と異なる候補領域を検出することを特徴とすることができる。
【００２４】
前記案内ＰＯＩ領域として選択する段階は、運転者の位置、運転者の移動方向、最終目的地のうちの少なくとも１つを考慮して案内ＰＯＩ領域を選択することを特徴とすることができる。
【発明の効果】
【００２５】
本発明によれば、経路探索サービス中に地図の形状を分析することによって、回転が必要な交差点に関する案内情報をリアルタイムで生成する装置及び方法を提供できるという効果を奏する。
【００２６】
また、本発明は、予め格納された交差点案内情報を用いず、交差点案内情報を経路探索サービス中に生成し、従来技術に比べて、小容量のデータを格納して管理する交差点案内情報生成装置及び方法を提供できる。
【００２７】
更に、本発明は、経路探索サービス中に交差点案内情報を生成するため、交差点周辺の変更された環境情報に基づいて交差点案内情報を生成できる。
【図面の簡単な説明】
【００２８】
添付する図面に関する説明は、以下の通りである。
【図１】従来の交差点案内ナビゲーションシステムのブロック図である。
【図２】本発明の一実施形態による交差点案内情報生成装置のブロック図である。
【図３】本発明の一実施形態による交差点案内情報生成方法のフローチャートである。
【図４】本発明の一実施形態による交差点案内情報生成装置による移動経路を示す。
【図５】本発明の一実施形態による交差点案内情報生成装置による候補領域を示す。
【図６】本発明の一実施形態による交差点案内情報生成装置による候補ＰＯＩ領域を示す。
【図７】本発明の一実施形態による交差点案内情報生成装置により検出された候補領域を示す。
【発明を実施するための形態】
【００２９】
本発明の利点及び特徴、そしてそれらを達成する方法は、添付する図面と共に詳細に後述されている実施形態を参照すれば、明確になる。しかし、本発明は、以下で開示される実施形態に限定されるものではなく、互いに異なる多様な形態で実現され、但し、本実施形態は、本発明の開示が完全なようにし、本発明の属する技術分野における通常の知識を有する者に発明の範疇を完全に理解させるために提供されるものであり、本発明は、請求範囲の範疇により定義されるだけである。一方、本明細書で用いられた用語は、実施形態を説明するためのものであり、本発明を制限しようとするものではない。
【００３０】
本発明の一実施形態による交差点案内情報生成装置及び方法は、探索された経路中に交差点での回転地点を案内する情報を生成するにおいて、交差点周辺の関心地点情報を活用して案内情報を生成する装置及び方法に関する。経路案内サービスで案内情報として予め格納された案内情報を用いず、現在の状態の交差点周辺の地図を活用するため、交差点周辺の建物、状況が変更されることによって変わった案内情報を提供できる。
【００３１】
図２は、本発明の一実施形態による交差点案内情報生成装置１００を示すブロック図である。
【００３２】
本発明の一実施形態による交差点案内情報生成装置１００は、経路設定部１１０、候補領域検出部１２０、候補ＰＯＩ領域検出部１３０、案内ＰＯＩ領域選択部１４０、案内情報生成部１５０を含むことができる。
【００３３】
経路設定部１１０は、指定された目的地までの経路の伝達を受けて案内情報生成の入力データとして設定する。経路は、外部装置から伝達を受けてもよく、装置内部で算出してもよい。探索された経路を伝達する外部装置は、ナビゲーション装置、スマートフォン、ＰＣなどであり得る。経路探索の結果は地図と共に、図４に示すように提供され得る。
【００３４】
候補領域検出部１２０は、探索された経路中で交差点での回転地点を検索し、回転地点の周辺を候補領域として検出できる。候補領域を検出する理由は、検出された候補領域内にあるＰＯＩ領域を用いて交差点案内情報を生成するためである。検出された候補領域は、回転地点を１つの頂点とし、回転地点に連結された両側の経路を２つの線分とする三角形状の領域にすることができる。また、検出された候補領域は、回転地点と一定の距離にある２つの点を何れも通る任意の閉曲線（三角形、円、楕円、菱形、四角形など）の内部領域にすることができる。
【００３５】
候補ＰＯＩ領域検出部１３０を通じて候補ＰＯＩ領域が検出されなければ、候補領域を回転地点と一定の距離にある２つの点を以前とは異なるように設定することで、新しく候補領域を設定できる。
【００３６】
候補ＰＯＩ領域検出部１３０は、候補領域内にある（各）ＰＯＩ領域を検出する。候補ＰＯＩ領域検出部１３０は、候補領域内にあるＰＯＩ領域の中で候補領域にＰＯＩ領域の全部が含まれるか、候補領域とＰＯＩ領域の一部が重なるＰＯＩ領域を検出できる。検出された候補ＰＯＩ領域は複数であり得るが、少なくとも２つのＰＯＩが検出されるとき、クライアント（ｃｌｉｅｎｔ）、例えば、運転者の現在地を考慮して１つのＰＯＩ領域を選択できる。候補ＰＯＩ領域検出部１３０は、図６に示すように、候補ＰＯＩ領域６１０、６４０を検出できる。仮りに、候補ＰＯＩ領域が１つも検出されない場合には、再び候補領域を検出できる。
【００３７】
案内ＰＯＩ領域選択部１４０は、交差点案内情報を生成するのに用いる案内ＰＯＩ領域を選択する。案内ＰＯＩ領域選択部１４０は、候補ＰＯＩ領域検出部１３０により検出された候補ＰＯＩ領域の中で回転地点と最も距離が近いＰＯＩ領域を案内ＰＯＩ領域として選択する。案内ＰＯＩ領域選択部１４０により選択された案内ＰＯＩ領域のＰＯＩ（Ｐｏｉｎｔ ｏｆ ｉｎｔｅｒｅｓｔ）情報は、交差点案内情報を生成するのに用いられる。
【００３８】
案内ＰＯＩ領域選択部１４０により少なくとも２つのＰＯＩ領域が選択されれば、クライアントの位置、移動方向、最終目的地を考慮して１つのＰＯＩ領域を案内ＰＯＩ領域として選択できる。
【００３９】
案内情報生成部１５０は、案内ＰＯＩ領域のＰＯＩ情報を用いて案内情報を生成する。案内情報は「１００メートル前方の案内ＰＯＩ領域で、案内ＰＯＩ領域を挟んで右折しなさい」のように、案内ＰＯＩ領域情報及び回転方向情報を含むことができる。回転方向情報は、右折、左折、Ｐ型回転、Ｕ型回転、ロータリー回転などであり得る。生成された案内情報は、音声或いは文字で案内され得る。
【００４０】
図３は、本発明の一実施形態による交差点案内情報生成方法のフローチャートである。
【００４１】
図３の交差点案内情報の生成方法は、経路探索段階（Ｓ３２０）、候補領域検出段階（Ｓ３３０）、候補ＰＯＩ領域検出段階（Ｓ３４０）、候補ＰＯＩ領域検出如何判断段階（Ｓ３５０）、案内ＰＯＩ領域選択段階（Ｓ３６０）、案内情報生成段階（Ｓ３７０）を含むことができる。
【００４２】
経路探索段階（Ｓ３２０）は、サーバが目的地までの経路を探索するようになる。探索された経路は地図と共に、図４及び図７に示すように提供される。
【００４３】
候補領域検出段階（Ｓ３３０）は、地図で案内情報を生成するのに利用できるＰＯＩ領域情報を検出するに先立ち、ＰＯＩ領域を含んでいる候補領域を検出する。候補領域とは回転地点の周辺領域を意味するが、その中でも回転地点を１つの頂点とし、回転地点に連結された移動経路を２つの線分とする三角形領域であり得る。また、候補領域は、回転地点と一定の距離にある任意の２つの点及び回転地点を何れも通る任意の閉曲線の内部領域であり得る。
【００４４】
図５に示すように、５００、５１０がそれぞれの回転地点に対する候補領域になり得る。
【００４５】
候補ＰＯＩ領域検出段階（Ｓ３４０）は候補領域と重なっているか、候補領域内にあるスペースである候補ＰＯＩ領域を検出する。候補ＰＯＩ領域は、スペースの全部が候補領域に含まれるか、スペースの一部が候補領域に含まれるスペースであり得る。候補ＰＯＩ領域検出段階（Ｓ３４０）は、図６に示すように、候補ＰＯＩ領域を検出するようになる。検出された候補ＰＯＩ領域の数は、０以上になり得る。
【００４６】
候補ＰＯＩ領域検出如何判断段階（Ｓ３５０）は、候補ＰＯＩ領域が検出されたか否かを判断する。候補ＰＯＩ領域検出如何判断段階（Ｓ３５０）では、仮りに候補ＰＯＩ領域の数が０であれば、候補領域検出段階（Ｓ３３０）に進み、候補領域を再検出できる。この際には、従前の閉曲線の内部領域と重ならない他の領域を候補領域として設定できる。
【００４７】
案内ＰＯＩ領域選択段階（Ｓ３６０）は、交差点案内情報を生成するのに用いられる案内ＰＯＩ領域を選択する。案内ＰＯＩ領域選択段階（Ｓ３６０）は、候補ＰＯＩ領域の中から回転地点との距離が最も近い候補ＰＯＩ領域を案内ＰＯＩ領域として選択する。案内ＰＯＩ領域選択段階（Ｓ３６０）は、候補ＰＯＩ領域と回転地点との距離を用いて選択できる。案内ＰＯＩ領域選択段階（Ｓ３６０）は、候補ＰＯＩ領域の各頂点或いは中心と回転地点との距離を用いて選択することもできる。
【００４８】
案内ＰＯＩ領域選択段階（Ｓ３６０）で少なくとも２つのＰＯＩ領域が選択されれば、クライアントの位置、移動方向、最終目的地を考慮して１つのＰＯＩ領域を案内ＰＯＩ領域として選択できる。
【００４９】
案内情報生成段階（Ｓ３７０）は、案内ＰＯＩ領域のＰＯＩ情報及び交差点での回転方向情報を用いて案内情報を生成する。案内ＰＯＩ領域の回転方向情報は、右折、左折、ロータリー回転、Ｐ型回転、Ｕ型回転などであり得る。
【００５０】
本発明の一実施形態による交差点案内情報生成装置及び方法によって生成された交差点案内情報は、ナビゲーション装置、スマートフォン、インターネットの地図検索サイトなどで活用できる。交差点案内情報は、音声或いは文字で提供され得る。
【００５１】
図４〜図６は、本発明の一実施形態による交差点案内情報生成装置による経路、候補領域、候補ＰＯＩ領域を示す。
【００５２】
図４に示すように、地図と共に経路４００が示される。示された移動経路を分析した結果、回転地点１（４１０）、回転地点２（４２０）が検索される。
【００５３】
図５に示すように、検索された回転地点１（４１０）と一定の距離を有する２つの点を選択し、回転地点１及び２つの点を何れも通る任意の閉曲線の内部領域を候補領域として検出する。回転地点１と２つの点間の距離は、任意の正数になり得る。
【００５４】
検出された候補領域５００と重なる部分があるスペースを候補ＰＯＩ領域として検出する。図６に示すように、２つの候補ＰＯＩ領域６３０、６４０が検出される。
【００５５】
それぞれの候補ＰＯＩ領域６３０、６４０と回転地点１（４１０）との距離を算出する。それぞれの候補ＰＯＩ領域６３０、６４０のそれぞれの頂点或いは中心と回転地点１（４１０）との距離を算出できる。
【００５６】
図７は、本発明の一実施形態による交差点案内情報生成装置により検出された候補領域を示す。ここで、矢印は経路を示し、経路は回転地点７００を含む。本発明の交差点案内情報の生成装置及び生成方法は、候補ＰＯＩ領域が検出されない場合、候補領域を再検出するようになる。このとき、図７のように、７１０、７２０、７３０、７４０の順に候補領域を検出できる。また、７１０、７４０、７３０、７２０の順に候補領域を検出することもできる。候補領域を検出する順序には如何なる制限もない。候補領域の形状は、四角形に限定されず、任意の閉曲線（円、楕円、三角形、菱形、台形など）になり得る。
【００５７】
本発明の一実施形態による交差点案内情報生成装置及び方法は、一般の地図だけでなく、室内空間を示す地図でも活用され得る。ＰＯＩ領域とは、室内空間を示す地図において用途に応じた論理的に区分された空間を意味するか、室外空間を示す地図において商店、銀行、会社などに区分された空間を意味する。
【００５８】
また、本発明の一実施形態による交差点案内情報生成装置及び方法は、案内ＰＯＩ領域を１階に位置する商店、店舗に限定せず、２階以上に位置する商店、店舗のＰＯＩ情報として選択できる。
【符号の説明】
【００５９】
１００    交差点案内情報生成装置
１１０    経路設定部
１２０    候補領域検出部
１３０    候補ＰＯＩ領域検出部
１４０    案内ＰＯＩ領域選択部
１５０    案内情報生成部
【図１】
2014106229.tif 000003
【図２】
2014106229.tif 000004
【図３】
2014106229.tif 000005
【図４】
2014106229.tif 000006
【図５】
2014106229.tif 000007
【図６】
2014106229.tif 000008
【図７】
2014106229.tif 000009